(57)【要約】【課題】  手作業で発射レールを取り付ける際、発射レールの湾曲保持や位置決めを容易にし、発射レールの取付性や取付精度を向上させる。【解決手段】  弾性変形可能な板材からなるレール部２ａに、複数の止めピン２ｂを突設して形成される発射レール２を、取付状態の形状に合わせて湾曲させつつ、止めピン２ｂを遊技盤１の盤面に打ち込むにあたり、発射レール２を取付状態の湾曲形状に保持し、かつ、湾曲形状に保持した発射レール２を遊技盤１の発射レール取付位置に位置決め可能な取付治具１１を用い、該取付治具１１によって発射レール２を位置決め保持しながら、止めピン２ｂを遊技盤１の盤面に打ち込む。【選択図】        図５
2005253596.tif 000002
【特許請求の範囲】
【請求項１】
弾性変形可能な板材からなるレール部に、複数の止めピンを突設して形成される発射レールを、取付状態の形状に合わせて湾曲させつつ、前記止めピンを遊技盤の盤面に打ち込むにあたり、
前記発射レールを取付状態の湾曲形状に保持し、かつ、湾曲形状に保持した前記発射レールを前記遊技盤の発射レール取付位置に位置決め可能な取付治具を用い、該取付治具によって前記発射レールを位置決め保持しながら、前記止めピンを前記遊技盤の盤面に打ち込むことを特徴とする発射レールの取付方法。
【請求項２】
前記取付治具を前記遊技盤の盤面に位置決めする前に、前記発射レールを前記取付治具にセットすることを特徴とする請求項１記載の発射レールの取付方法。
【請求項３】
前記取付治具を前記遊技盤の盤面に位置決めした後に、前記発射レールを前記取付治具にセットすることを特徴とする請求項１記載の発射レールの取付方法。
【請求項４】
弾性変形可能な板材からなるレール部に、複数の止めピンを突設して形成される発射レールを、取付状態の形状に合わせて湾曲させつつ、前記止めピンを遊技盤の盤面に打ち込む際に使用される取付治具であって、
前記発射レールを取付状態の湾曲形状に保持する湾曲保持部と、湾曲形状に保持した前記発射レールを前記遊技盤の発射レール取付位置に位置決めする位置決め部とを備えることを特徴とする発射レールの取付治具。
【請求項５】
前記湾曲保持部は、断面冂字状であり、その内側に形成される保持溝で前記発射レールを湾曲保持することを特徴とする請求項４記載の発射レールの取付治具。
【請求項６】
前記湾曲保持部の上部には、前記止めピンを前記遊技盤の盤面に打ち込む際に、前記発射レールの上部を工具で叩くための切欠き部が形成されることを特徴とする請求項４又は５記載の発射レールの取付治具。
【請求項７】
前記湾曲保持部は、前記切欠き部における高さが、前記発射レールの高さに略一致することを特徴とする請求項６記載の発射レールの取付治具。
【請求項８】
前記湾曲保持部の下部には、前記止めピンとの干渉を避けるための第二切欠き部が形成されることを特徴とする請求項４〜７のいずれかに記載の発射レールの取付治具。
【発明の詳細な説明】
【技術分野】
【０００１】
本発明は、弾球遊技機の遊技盤に発射レールを取り付けるための取付方法及び取付治具に関する。
【背景技術】
【０００２】
弾球遊技機の遊技盤には、遊技球の発射をガイドする発射レールが取り付けられている。この種の発射レールは、弾性変形可能な板材（例えば、直線状のステンレス鋼板）からなるレール部に、複数の止めピンを突設して形成されており、手作業で遊技盤に取り付ける場合は、レール部を取付状態の形状に合わせて湾曲させながら、止めピンを遊技盤の盤面に打ち込んでいる。
【０００３】
また、発射レールの取付位置や湾曲具合は、遊技球の発射方向や発射速度に影響を与えるため、発射レールを遊技盤に取り付ける際には、高精度な位置決めが要求される。そのため従来では、遊技盤の止めピン打ち込み位置に予めポンチ孔などを形成し、発射レールの位置決めを容易化している。
【特許文献１】特開平１０−１５１６３号公報
【発明の開示】
【発明が解決しようとする課題】
【０００４】
しかしながら、発射レールは、比較的剛性が高いものであるため、これを湾曲保持しながら、止めピンをポンチ孔などに位置決めするのは容易でなく、大変な労力と時間がかかる作業であった。
また、手作業による発射レールの取り付けでは、遊技盤に対する止めピンの打ち込み量にばらつきが生じ易いという問題もある。特に、止めピンの打ち込みが過剰である場合は、止めピンやレール部に無理な負荷がかかり、止めピンの折れや、レール部の変形が生じる可能性がある。
【課題を解決するための手段】
【０００５】
本発明は、上記の如き実情に鑑みこれらの課題を解決することを目的として創作された発射レールの取付方法であって、弾性変形可能な板材からなるレール部に、複数の止めピンを突設して形成される発射レールを、取付状態の形状に合わせて湾曲させつつ、前記止めピンを遊技盤の盤面に打ち込むにあたり、前記発射レールを取付状態の湾曲形状に保持し、かつ、湾曲形状に保持した前記発射レールを前記遊技盤の発射レール取付位置に位置決め可能な取付治具を用い、該取付治具によって前記発射レールを位置決め保持しながら、前記止めピンを前記遊技盤の盤面に打ち込むことを特徴とする。
このとき、前記取付治具を前記遊技盤の盤面に位置決めする前に、前記発射レールを前記取付治具にセットすることができる。
また、前記取付治具を前記遊技盤の盤面に位置決めした後に、前記発射レールを前記取付治具にセットするようにしてもよい。
このような方法にすれば、手作業で発射レールを取り付ける場合であっても、発射レールの湾曲保持や位置決めが容易になるため、作業者の労力を軽減できるだけでなく、発射レールの取付精度を向上させることができる。
また、本発明は、弾性変形可能な板材からなるレール部に、複数の止めピンを突設して形成される発射レールを、取付状態の形状に合わせて湾曲させつつ、前記止めピンを遊技盤の盤面に打ち込む際に使用される取付治具であって、前記発射レールを取付状態の湾曲形状に保持する湾曲保持部と、湾曲形状に保持した前記発射レールを前記遊技盤の発射レール取付位置に位置決めする位置決め部とを備えることを特徴とする。
このように構成すれば、発射レールの湾曲保持や位置決めを取付治具で行うことができるので、手作業で発射レールを取り付ける際、作業者の労力を軽減できるだけでなく、発射レールの取付精度を向上させることができる。
また、前記湾曲保持部は、断面冂字状であり、その内側に形成される保持溝で前記発射レールを湾曲保持することを特徴とする。このように構成すれば、発射レールを確実に湾曲保持できるだけでなく、発射レール取付後に取付治具を容易に外すことができる。
また、前記湾曲保持部の上部には、前記止めピンを前記遊技盤の盤面に打ち込む際に、前記発射レールの上部を工具で叩くための切欠き部が形成されることを特徴とする。このように構成すれば、取付治具に邪魔されることなく、発射レールの上部を工具で叩くことができる。また、切欠き部を止めピンの位置のみに形成すれば、工具で叩く位置が明確になるため、レール取付作業の効率を高めることができる。
また、前記湾曲保持部は、前記切欠き部における高さが、前記発射レールの高さに略一致することを特徴とする。このように構成すれば、遊技盤に対する止めピンの打ち込み量を取付治具で制限することができるため、過剰な打ち込みによる止めピンの折れや、レール部の変形を防止できる。
また、前記湾曲保持部の下部には、前記止めピンとの干渉を避けるための第二切欠き部が形成されることを特徴とする。このように構成すれば、止めピンと取付治具の干渉による作業性の低下を回避できる。また、第二切欠き部を介して止めピンが目視可能となるため、止めピンの打ち込み位置や打ち込み量の確認が容易になるという利点もある。
【発明の効果】
【０００６】
上記のような本発明によれば、手作業で遊技盤に発射レールを取り付ける際、発射レールを手で湾曲保持する必要がないため、作業者の労力を大幅に軽減することができる。また、発射レールを遊技盤に対して正確に位置決めすることが可能になるので、発射レールの取付精度も向上させることができる。
【発明を実施するための最良の形態】
【０００７】
次に、本発明の実施形態について、図面に基づいて説明する。
［遊技盤及び発射レール］
図１において、１はパチンコ遊技機の遊技盤であって、該遊技盤１には、外側発射レール２、内側発射レール３、遊技釘４、風車５、センター役物６、始動口７、大入賞口８、入賞口９、ゲート１０などが取り付けられる。本発明は、上記の発射レール２、３を手作業で遊技盤１に取り付ける場合に好適なものである。以下、外側の発射レール２を例にして説明する。
【０００８】
図２に示すように、発射レール２は、弾性変形可能な板材からなるレール部２ａと、該レール部２ａの下端部に所定間隔を存して突設される複数の止めピン２ｂとを備えて形成されている。レール部２ａを形成する板材としては、比較的剛性が高いステンレス鋼板などが用いられる。レール部２ａは、一端部が曲げ形成されるものの、取り付け前の状態では全体として直線状であり、取付時には、取付状態の形状に合わせて湾曲させる必要がある。
【０００９】
止めピン２ｂは、基端部が割れた割りピン型のものであり、割れ部分がレール部２ａの下端部を挟む状態で、レール部２ａに対して溶着されている。発射レール２を遊技盤１に取り付ける際には、止めピン２ｂが遊技盤１に打ち込まれる。この打ち込みは、レール部２ａの上部をハンマなどの工具で叩くことにより行われる。止めピン２ｂの打ち込み位置は、高い精度が要求されるため、遊技盤１の止めピン打ち込み位置には、予めポンチ孔などのピン挿入孔１ａが複数加工される。これらのピン挿入孔１ａに止めピン２ｂの先端部を挿入した後、工具による止めピン２ｂの打ち込みが行われる。
【００１０】
［第一実施形態］
図３において、１１は発射レール２を遊技盤１に取り付ける際に使用される取付治具であって、該取付治具１１は、発射レール２を取付状態の湾曲形状に保持する湾曲保持部１１ａと、湾曲形状に保持した発射レール２を遊技盤１の発射レール取付位置に位置決めする位置決め部１１ｂとを備えて構成されている。
【００１１】
湾曲保持部１１ａは、例えば、弾性変形し難い板材を断面冂字状に曲げ加工し、かつ、発射レール２の取付形状に合わせて湾曲加工して形成される。このように構成すると、湾曲保持部１１ａの内側に、下方に開口した湾曲状の保持溝１１ｃが形成され、この保持溝１１ｃで発射レール２のレール部２ａを湾曲保持することが可能になる。
【００１２】
湾曲保持部１１ａの上部には、止めピン２ｂを遊技盤１の盤面に打ち込む際に、発射レール２の上部を工具で叩くための第一切欠き部１１ｄが複数形成されている。このような第一切欠き部１１ｄを形成すると、取付治具１１に邪魔されることなく、発射レール２の上部を工具で叩くことが可能になる。また、本実施形態の第一切欠き部１１ｄは、止めピン対応位置のみに形成されるので、工具で叩く位置が明確になるという利点がある。
【００１３】
また、本実施形態では、図４に示すように、第一切欠き部１１ｄにおける湾曲保持部１１ａの高さＨ１を、発射レール２のレール高さＨ２に一致させている。これにより、遊技盤１に対する止めピン２ｂの打ち込み量を取付治具１１で制限し、過剰な打ち込みによる止めピン２ｂの折れや、レール部２ａの変形を防止することが可能になる。
【００１４】
さらに、湾曲保持部１１ａの下部には、止めピン２ｂとの干渉を避けるための第二切欠き部１１ｅが複数形成されている。つまり、止めピン２ｂの基端部は、レール部２ａの表裏から僅かに突出しているため、取付治具１１に干渉してレール取付作業を阻害する可能性があるが、本実施形態の第二切欠き部１１ｅによれば、止めピン２ｂと取付治具１１の干渉を回避できるだけでなく、第二切欠き部１１ｅを介して止めピン２ｂを目視可能とすることにより、止めピン２ｂの打ち込み位置や打ち込み量の確認を容易にすることができる。
【００１５】
尚、本実施形態の湾曲保持部１１ａは、発射レール２の長さ方向の位置を正確に位置決めしないが、長さ方向の位置決めを行うようにしてもよい。例えば、保持溝１１ｃ内にピンや切り起しなどでストッパ部を形成し、ここにレール部２ａの長さ方向の一端部を突当てるようにすれば、発射レール２の長さ方向の位置決めを行うことができる。ただし、発射レール２の寸法精度があまり良くない場合は、取付時に長さ方向の位置を微調整することがあるため、本実施形態の湾曲保持部１１ａのように、長さ方向の位置決めを行わないほうが有利な場合がある。
【００１６】
本実施形態の位置決め部１１ｂは、湾曲保持部１１ａの両端部に突出形成されている。各位置決め部１１ｂには、下方に突出する位置決めピン１１ｆが設けられており、これらの位置決めピン１１ｆを、遊技盤１の盤面に予め形成される位置決め孔１ｂに挿入することにより、取付治具１１や、取付治具１１に保持された発射レール２が、遊技盤１に対して位置決めされる。位置決め部１１ｂの形成位置、形状及び個数は、適宜変更することが可能であるが、本実施形態のように、取付治具１１の両端部に設けると、遊技盤１と取付治具１１との間のガタを最小限に抑えることができる。
【００１７】
次に、取付治具１１を用いた発射レール２の取付方法について、図５及び図６を参照して説明する。遊技盤１に対する発射レール２の取り付けは、例えば、遊技釘４や風車５を取り付けた後、コーナ飾り（図示せず）を取り付ける前に行われる。発射レール２の取付方法としては、遊技盤１に対して手作業で発射レール２を仮止め状態で取り付けた後、レール圧入機（図示せず）で発射レール２を遊技盤１に圧入する方法や、手作業のみで発射レール２を遊技盤１に取り付ける方法があるが、いずれにおいても、本発明の取付方法を適用することができる。
【００１８】
本実施形態では、まず、図５に示すように、取付治具１１に発射レール２をセットする。この作業は、取付治具１１の保持溝１１ｃに発射レール２のレール部２ａを差し込むことにより行われる。保持溝１１ｃにレール部２ａを差し込むと、レール部２ａが湾曲保持部１１ａに沿って湾曲し、湾曲形状に保持される。
【００１９】
次に、発射レール２をセットした取付治具１１を遊技盤１に位置決めする。この作業は、取付治具１１の位置決め部１１ｂに設けられる位置決めピン１１ｆを、遊技盤１の盤面に予め形成される位置決め孔１ｂに挿入するだけで完了する。このように位置決めを行うと、発射レール２に設けられる止めピン２ｂの位置と、遊技盤１に予め形成されるピン挿入孔１ａの位置とが略一致する。ただし、両者の間にズレがある場合は、発射レール２を長さ方向にスライドさせ、両者の位置を微調整することができる。
【００２０】
次に、発射レール２の上部を工具で叩き、止めピン２ｂを遊技盤１に打ち込む。この作業は、湾曲保持部１１ａの上部に形成される第一切欠き部１１ｄを介して行われる。発射レール２を仮止め状で取り付け、その後に圧入機で圧入する場合は、止めピン２ｂの打ち込み量を控え目にし、手作業のみで発射レール２を取り付ける場合は、レール部２ａの下端が遊技盤１の盤面に当るまで止めピン２ｂを打ち込む。このとき、第一切欠き部１１ｄにおける湾曲保持部１１ａの高さＨ１は、発射レール２のレール高さＨ２に一致しているので、遊技盤１に対する止めピン２ｂの打ち込み量が取付治具１１によって制限され、過剰な打ち込みが防止される。
【００２１】
次に、取付治具１１の取り外しを行う。この作業は、取付治具１１を上方へ持ち上げるだけである。手作業のみで発射レール２を取り付ける場合は、以上で取付作業が完了する。また、発射レール２を仮止めしてある場合は、圧入機による圧入工程を実行し、発射レール２の取り付けを完了させる。
【００２２】
叙述の如く構成された本発明の実施形態によれば、弾性変形可能な板材からなるレール部２ａに、複数の止めピン２ｂを突設して形成される発射レール２を、取付状態の形状に合わせて湾曲させつつ、止めピン２ｂを遊技盤１の盤面に打ち込むにあたり、発射レール２を取付状態の湾曲形状に保持し、かつ、湾曲形状に保持した発射レール２を遊技盤１の発射レール取付位置に位置決め可能な取付治具１１を用い、該取付治具１１によって発射レール２を位置決め保持しながら、止めピン２ｂを遊技盤１の盤面に打ち込むようにしたので、手作業で発射レール２を取り付ける場合であっても、発射レール２の湾曲保持や位置決めが容易になる。これにより、作業者の労力を軽減できるだけでなく、発射レール２の取付精度を向上させることができる。
【００２３】
また、取付治具１１の湾曲保持部１１ａは、断面冂字状であり、その内側に形成される保持溝１１ｃで発射レール２を湾曲保持するように形成されるため、発射レール２を確実に湾曲保持できるだけでなく、発射レール２の取付後に取付治具１１を容易に外すことができる。
【００２４】
また、湾曲保持部１１ａの上部には、止めピン２ｂを遊技盤１の盤面に打ち込む際に、発射レール２の上部を工具で叩くための第一切欠き部１１ｄが形成されているので、取付治具１１に邪魔されることなく、発射レール２の上部を工具で叩くことができる。また、本実施形態では、第一切欠き部１１ｄを止めピン２ｂの対応位置のみに形成しているので、工具で叩く位置が明確になり、レール取付作業の効率を高めることができる。
【００２５】
また、湾曲保持部１１ａは、第一切欠き部１１ｄにおける高さＨ１が、発射レール２の高さに略一致しているため、遊技盤１に対する止めピン２ｂの打ち込み量を取付治具１１で制限することができる。これにより、過剰な打ち込みによる止めピンの折れや、レール部の変形を防止できる。
【００２６】
また、湾曲保持部１１ａの下部には、止めピン２ｂとの干渉を避けるための第二切欠き部１１ｅが形成されるため、止めピン２ｂと取付治具１１の干渉による作業性の低下を回避できる。また、第二切欠き部１１ｅを介して止めピン２ｂが目視可能となるため、止めピン２ｂの打ち込み位置や打ち込み量の確認が容易になる。
【００２７】
［第二実施形態］
次に、本発明の第二実施形態について説明する。ただし、第一実施形態と共通する構成については、第一実施形態と同じ符号を付け、第一実施形態の説明を援用する。
【００２８】
図７に示すように、第二実施形態の取付治具１１Ｂは、湾曲保持部１１ａに保持溝１１ｃを備えておらず、湾曲保持部１１ａの側面（内周側）で発射レール２を湾曲保持する点が第一実施形態と相違している。湾曲保持部１１ａの側面で発射レール２を湾曲保持するには、発射レール２の長さ方向両端部を係止する必要があると考えられるが、本実施形態の発射レール２は、半円以上の円弧を形成するため、自らの弾性復元力で湾曲保持部１１ａの内側面に留まり、取付治具１１Ｂに湾曲保持される。
【００２９】
次に、第二実施形態の取付治具１１Ｂを用いた発射レール２の取付方法について、図８を参照して説明する。これらの図に示すように、第二実施形態では、まず、取付治具１１Ｂを遊技盤１に位置決めする。この作業は、取付治具１１Ｂの位置決め部１１ｂに設けられる位置決めピン１１ｆを、遊技盤１の盤面に予め形成される位置決め孔１ｂに挿入するだけで完了する。
【００３０】
次に、遊技盤１に位置決めした取付治具１１Ｂに対して発射レール２をセットする。この作業は、湾曲保持部１１ａの内周側湾曲面に発射レール２のレール部２ａを沿わせることにより行われる。このようにすると、発射レール２に設けられる止めピン２ｂの位置と、遊技盤１に予め形成されるピン挿入孔１ａの位置とが略一致する。ただし、両者の間にズレがある場合は、発射レール２を長さ方向にスライドさせ、両者の位置を微調整することができる。
【００３１】
次に、発射レール２の上部を工具で叩き、止めピン２ｂを遊技盤１に打ち込む。この作業は、湾曲保持部１１ａの上部に形成される第一切欠き部１１ｄを介して行われる。発射レール２を仮止め状で取り付け、その後に圧入機で圧入する場合は、止めピン２ｂの打ち込み量を控え目にし、手作業のみで発射レール２を取り付ける場合は、レール部２ａの下端が遊技盤１の盤面に当るまで止めピン２ｂを打ち込む。
【００３２】
次に、取付治具１１Ｂの取り外しを行う。この作業は、取付治具１１Ｂを上方へ持ち上げるだけである。手作業のみで発射レール２を取り付ける場合は、以上で取付作業が完了する。また、発射レール２を仮止めしてある場合は、圧入機による圧入工程を実行し、発射レール２の取り付けを完了させる。
【００３３】
尚、本発明は、前記実施形態に限定されないことは言うまでもない。例えば、取付治具は、外側発射レールと内側発射レールを同時に湾曲保持できるように構成してもよい。この場合には、外側発射レール及び内側発射レールの取り付けをまとめて行うことが可能になる。
【図面の簡単な説明】
【００３４】
【図１】遊技盤の正面図である。
【図２】遊技盤及び発射レールの分解斜視図である。
【図３】（Ａ）は取付治具の斜視図、（Ｂ）は取付治具の縦断面図である。
【図４】（Ａ）は取付治具の部分側面図、（Ｂ）は発射レールの部分側面図、（Ｃ）は発射レールがセットされた取付治具の部分斜視図である。
【図５】発射レールの取付手順を示す分解斜視図である。
【図６】発射レールの取付手順を示すフローチャートである。
【図７】第二実施形態の取付治具を示す平面図である。
【図８】第二実施形態における発射レールの取付手順を示すフローチャートである。
【符号の説明】
【００３５】
１      遊技盤
２      外側発射レール
２ａ    レール部
２ｂ    止めピン
３      内側発射レール
１１    取付治具
１１ａ  湾曲保持部
１１ｂ  位置決め部
１１ｃ  保持溝
１１ｄ  第一切欠き部
１１ｅ  第二切欠き部
１１ｆ  位置決めピン
【図１】
2005253596.tif 000003
【図２】
2005253596.tif 000004
【図３】
2005253596.tif 000005
【図４】
2005253596.tif 000006
【図５】
2005253596.tif 000007
【図６】
2005253596.tif 000008
【図７】
2005253596.tif 000009
【図８】
2005253596.tif 000010